(57)【要約】【課題】診断復旧ツールを使用しなくとも、トラブルを回避できる操作ヒント表示端末、操作ヒント表示システム及び方法を提供する。【解決手段】操作ヒント表示端末１０は、トラブルの契機となり得る表示領域におけるユーザの操作を示すトラブルデータに、当該トラブルを回避し得る操作を示すヒントデータを対応付けたヒント情報テーブルを記憶するヒント情報記憶手段と、表示領域においてユーザの操作を受け付けた場合に、当該操作がヒント情報記憶手段に記憶されたヒント情報テーブルのトラブルデータに示された操作か否かを判断するトラブル契機判断手段と、を備え、表示制御手段は、表示領域におけるユーザの操作がトラブルデータに示された操作であると判断された場合、ヒント情報テーブルおいて当該トラブルデータに対応付けられたヒントデータを、表示手段に、当該表示領域とともに表示する制御を行う。【選択図】図１
2016040646.tif 000002
【特許請求の範囲】
【請求項１】
ユーザの操作を受け付ける表示領域を表示手段に表示する操作ヒント表示端末であって、
ユーザの操作に基づき、前記表示領域を前記表示手段に表示する制御を行う表示制御手段と、
トラブルの契機となり得る前記表示領域におけるユーザの操作を示すトラブルデータに、当該表示領域において受け付けるユーザの操作に関する情報であって、当該トラブルを回避し得る操作を示すヒントデータを対応付けたヒント情報テーブルを記憶するヒント情報記憶手段と、
前記表示領域においてユーザの操作を受け付けた場合に、当該操作が前記ヒント情報記憶手段に記憶された前記ヒント情報テーブルの前記トラブルデータに示された操作か否かを判断するトラブル契機判断手段と、を備え、
前記表示制御手段は、前記トラブル契機判断手段により、前記表示領域におけるユーザの操作が前記トラブルデータに示された操作であると判断された場合、前記ヒント情報テーブルおいて当該トラブルデータに対応付けられた前記ヒントデータを、前記表示手段に、当該表示領域とともに表示する制御を行う操作ヒント表示端末。
【請求項２】
請求項１に記載の操作ヒント表示端末と、前記操作ヒント表示端末と通信可能に接続されたサーバと、を備える操作ヒント表示システムであって、
前記サーバは、
前記操作ヒント表示端末から、ユーザの操作履歴を示す操作履歴情報を受信する操作履歴受信手段と、
前記操作履歴情報に基づく前記トラブルデータに、前記ヒントデータを対応付けた前記ヒント情報テーブルを記憶するトラブルデータ記憶手段と、
前記トラブルデータ記憶手段に記憶された前記ヒント情報テーブルを前記操作ヒント表示端末に送信するヒント情報送信手段と、を備え、
前記操作ヒント表示端末は、前記ヒント情報記憶手段に記憶された前記ヒント情報テーブルを、前記サーバから送信された前記ヒント情報テーブルに、更新するヒント情報更新手段を、更に備える操作ヒント表示システム。
【請求項３】
前記操作ヒント表示端末は、定期的に、当該操作ヒント表示端末を識別する識別情報を、前記操作履歴情報に対応付けて送信する操作履歴送信手段を、更に備え、
前記サーバは、所定の前記識別情報で識別される前記操作ヒント表示端末においてトラブルが発生した場合に、当該トラブルが発生した直近に、当該操作ヒント表示端末から受信した前記操作履歴情報に基づき前記トラブルデータを生成するトラブルデータ生成手段を、更に備え、
前記トラブルデータ記憶手段は、前記トラブルデータ生成手段が生成した前記トラブルデータに、前記トラブルを回避し得えた操作を示す前記ヒントデータを対応付けた前記ヒント情報テーブルを記憶する請求項２に記載の操作ヒント表示システム。
【請求項４】
ユーザの操作を受け付ける表示領域を表示手段に表示する操作ヒント表示端末が実行する方法であって、
ユーザの操作に基づき、前記表示領域を前記表示手段に表示する制御を行う表示制御ステップと、
トラブルの契機となり得る前記表示領域におけるユーザの操作を示すトラブルデータに、当該表示領域において受け付けるユーザの操作に関する情報であって、当該トラブルを回避し得る操作を示すヒントデータを対応付けたヒント情報テーブルを記憶するヒント情報記憶ステップと、
前記表示領域においてユーザの操作を受け付けた場合に、当該操作が前記ヒント情報記憶ステップで記憶した前記ヒント情報テーブルの前記トラブルデータに示された操作か否かを判断するトラブル契機判断ステップと、を含み、
前記表示制御ステップは、前記トラブル契機判断ステップで、前記表示領域におけるユーザの操作が前記トラブルデータに示された操作であると判断した場合、前記ヒント情報テーブルおいて当該トラブルデータに対応付けられた前記ヒントデータを、前記表示手段に、当該表示領域とともに表示する制御を行う方法。
【発明の詳細な説明】
【技術分野】
【０００１】
本発明は、ユーザの操作を受け付ける表示領域を表示手段に表示する操作ヒント表示端末、操作ヒント表示システム及び方法に関する。
【背景技術】
【０００２】
近年、パーソナルコンピュータや携帯端末等の装置において、トラブルが発生し、装置が正常に動作しなくなった場合、ユーザは、例えば、コールセンターに連絡し、装置を正常に動作させるためのサポートを受ける。
【０００３】
また、装置にトラブルが発生し、正常に動作しなくなった場合に、装置のパーソナルコンピュータを診断し、診断結果をサービスサーバに送信し、サービスサーバから返送されるリカバリ情報を受信し、このリカバリ情報を用いてパーソナルコンピュータをリカバリする装置が提案されている（特許文献１参照）。特許文献１の装置によれば、ユーザがパーソナルコンピュータのリカバリに対する知識を有さなくともリカバリ作業を行うことができる。
【先行技術文献】
【特許文献】
【０００４】
【特許文献１】特開２０１３−１６７９７１号公報
【発明の概要】
【発明が解決しようとする課題】
【０００５】
しかしながら、特許文献１の装置を使用していたとしても、パーソナルコンピュータや携帯端末等の装置に精通していないユーザは、トラブルが発生した場合に、リカバリ作業を行えば修復されることを知らない場合もある。また、このようなユーザは、トラブルが発生した場合に、装置が自動的にパーソナルコンピュータを診断し、リカバリを開始した場合、戸惑うことも考えられる。
このため、特許文献１の装置のように、トラブルが発生した場合に起動し、診断し復旧する診断復旧ツールを使用しなくとも、トラブルを回避できることが望ましい。
【０００６】
本発明は、これらの課題に鑑み、診断復旧ツールを使用しなくとも、トラブルを回避できる操作ヒント表示端末、操作ヒント表示システム及び方法を提供することを目的とする。
【課題を解決するための手段】
【０００７】
本発明では、以下のような解決手段を提供する。
【０００８】
第１の特徴に係る発明は、
ユーザの操作を受け付ける表示領域を表示手段に表示する操作ヒント表示端末であって、
ユーザの操作に基づき、前記表示領域を前記表示手段に表示する制御を行う表示制御手段と、
トラブルの契機となり得る前記表示領域におけるユーザの操作を示すトラブルデータに、当該表示領域において受け付けるユーザの操作に関する情報であって、当該トラブルを回避し得る操作を示すヒントデータを対応付けたヒント情報テーブルを記憶するヒント情報記憶手段と、
前記表示領域においてユーザの操作を受け付けた場合に、当該操作が前記ヒント情報記憶手段に記憶された前記ヒント情報テーブルの前記トラブルデータに示された操作か否かを判断するトラブル契機判断手段と、を備え、
前記表示制御手段は、前記トラブル契機判断手段により、前記表示領域におけるユーザの操作が前記トラブルデータに示された操作であると判断された場合、前記ヒント情報テーブルにおいて当該トラブルデータに対応付けられた前記ヒントデータを、前記表示手段に、当該表示領域とともに表示する制御を行う操作ヒント表示端末を提供する。
【０００９】
第１の特徴に係る発明によれば、ユーザの操作を受け付ける表示領域を表示手段に表示する操作ヒント表示端末は、ユーザの操作に基づき、表示領域を表示手段に表示する制御を行い、トラブルの契機となり得る表示領域におけるユーザの操作を示すトラブルデータに、当該表示領域において受け付けるユーザの操作に関する情報であって、当該トラブルを回避し得る操作を示すヒントデータを対応付けたヒント情報テーブルを記憶し、表示領域においてユーザの操作を受け付けた場合に、当該操作がヒント情報テーブルのトラブルデータに示された操作か否かを判断し、表示領域におけるユーザの操作がトラブルデータに示された操作であると判断した場合、ヒント情報テーブルにおいて当該トラブルデータに対応付けられたヒントデータを、表示手段に、当該表示領域とともに表示する制御を行う。
【００１０】
これにより、ある表示領域において、ユーザがトラブルの契機となり得る操作を行うタイミングで、トラブルを回避し得る操作を示すヒントデータを表示できる。ユーザは、このヒントデータを参照して、操作のやり直しや入力の修正を行うことで、トラブルを回避できる。したがって、ユーザに適切なタイミングで、トラブルを回避し得る操作を示すことで、診断復旧ツールを使用しなくとも、トラブルを回避できる操作ヒント表示端末を提供できる。
【００１１】
第２の特徴に係る発明は、
第１の特徴に係る発明の操作ヒント表示端末と、前記操作ヒント表示端末と通信可能に接続されたサーバと、を備える操作ヒント表示システムであって、
前記サーバは、
前記操作ヒント表示端末から、ユーザの操作履歴を示す操作履歴情報を受信する操作履歴受信手段と、
前記操作履歴情報に基づく前記トラブルデータに、前記ヒントデータを対応付けた前記ヒント情報テーブルを記憶するトラブルデータ記憶手段と、
前記トラブルデータ記憶手段に記憶された前記ヒント情報テーブルを前記操作ヒント表示端末に送信するヒント情報送信手段と、を備え、
前記操作ヒント表示端末は、前記ヒント情報記憶手段に記憶された前記ヒント情報テーブルを、前記サーバから送信された前記ヒント情報テーブルに、更新するヒント情報更新手段を、更に備える操作ヒント表示システムを提供する。
【００１２】
第２の特徴に係る発明によれば、第１の特徴に係る発明の操作ヒント表示端末と、操作ヒント表示端末と通信可能に接続されたサーバと、を備える操作ヒント表示システムは、サーバにおいて、操作ヒント表示端末から、ユーザの操作履歴を示す操作履歴情報を受信し、操作履歴情報に基づくトラブルデータに、ヒントデータを対応付けたヒント情報テーブルを記憶し、ヒント情報テーブルを操作ヒント表示端末に送信するする。そして、操作ヒント表示端末は、記憶しているヒント情報テーブルを、サーバから送信されたヒント情報テーブルに、更新する。
【００１３】
これにより、操作ヒント表示端末に記憶されたヒント情報テーブルを、ユーザによる操作ヒント表示端末における操作履歴情報に基づくトラブルデータに、ヒントデータを対応付けたヒント情報テーブルに更新できる。したがって、操作履歴情報に基づきヒント情報テーブルを更新することで、操作ヒント表示端末において、トラブルを回避するためのヒントデータを、より適正なタイミングで表示することができる。
【００１４】
第３の特徴に係る発明は、第２の特徴に係る発明に加え、
前記操作ヒント表示端末は、定期的に、当該操作ヒント表示端末を識別する識別情報を、前記操作履歴情報に対応付けて送信する操作履歴送信手段を、更に備え、
前記サーバは、所定の前記識別情報で識別される前記操作ヒント表示端末においてトラブルが発生した場合に、当該トラブルが発生した直近に、当該操作ヒント表示端末から受信した前記操作履歴情報を前記トラブルデータとするトラブルデータ生成手段を、更に備え、
前記トラブルデータ記憶手段は、前記トラブルデータ生成手段が生成した前記トラブルデータに、前記トラブルを回避し得えた操作を示す前記ヒントデータを対応付けた前記ヒント情報テーブルを記憶する操作ヒント表示システムを提供する。
【００１５】
第３の特徴に係る発明によれば、操作ヒント表示端末は、定期的に、操作ヒント表示端末を識別する識別情報を、操作履歴情報に対応付けて送信する。また、サーバは、所定の識別情報で識別される操作ヒント表示端末においてトラブルが発生した場合に、当該トラブルが発生した直近に、当該操作ヒント表示端末から受信した操作履歴情報に基づきトラブルデータを生成し、このトラブルデータに、トラブルを回避し得えた操作を示すヒントデータを対応付けたヒント情報テーブルを記憶する。
【００１６】
これにより、サーバは、操作ヒント表示端末から受信した操作履歴情報のうち、トラブルが発生した直近の操作履歴情報に基づきトラブルデータを生成できる。したがって、操作履歴情報に基づきヒント情報テーブルを更新し、操作ヒント表示端末において、トラブルを回避するためのヒントデータを、より適正なタイミングで表示することができる。
【００１７】
第１、第２及び第３の特徴に係る発明は、操作ヒント表示端末及び操作ヒント表示システムのカテゴリであるが、方法、操作ヒント表示端末用プログラム及び操作ヒント表示システム用プログラムであっても、カテゴリに応じた同様の作用、効果を奏する。
【発明の効果】
【００１８】
本発明によれば、診断復旧ツールを使用しなくとも、トラブルを回避できる操作ヒント表示端末、操作ヒント表示システム及び方法を提供することが可能となる。
【図面の簡単な説明】
【００１９】
【図１】図１は、本発明の好適な実施形態である操作ヒント表示システム１の概要を説明するための図である。
【図２】図２は、操作ヒント表示システム１の全体構成図である。
【図３】図３は、操作ヒント表示端末１０及びサーバ２０の機能ブロックと各機能の関係を示す図である。
【図４】図４は、操作ヒント表示端末１０、サーバ２０及びコールセンター端末３０が実行するヒント情報テーブル生成処理のフローチャートである。
【図５】図５は、サーバ２０のトラブルデータＤＢ２７に記憶されたヒント情報テーブルを説明する図である。
【図６】図６は、操作ヒント表示端末１０が実行する操作ヒント表示処理のフローチャートである。
【図７】図７は、操作ヒント表示端末１０の入出力部１４に表示される画面の一例であって、所定の表示領域１４１とともにヒントデータ１４２が表示された画面イメージである。
【発明を実施するための形態】
【００２０】
以下、本発明を実施するための最良の形態について図を参照しながら説明する。なお、これはあくまでも一例であって、本発明の技術的範囲はこれに限られるものではない。
【００２１】
［操作ヒント表示システム１の概要］
図１は、本発明の好適な実施形態である操作ヒント表示システム１の概要を説明するための図である。この図１に基づいて、操作ヒント表示システム１の概要を説明する。操作ヒント表示システム１は、操作ヒント表示端末１０と、サーバ２０と、コールセンター端末３０によって構成される。
【００２２】
操作ヒント表示システム１は、操作ヒント表示端末１０におけるユーザの操作履歴を示す操作履歴情報に基づき、ヒント情報テーブルを生成し更新する。そして、操作ヒント表示端末１０は、このヒント情報テーブルに基づき、ユーザに適切なタイミングで、トラブルを回避し得る操作を示す。
【００２３】
まず、操作ヒント表示システム１における、ヒント情報テーブルの生成又は更新について説明する。操作ヒント表示端末１０は、定期的（例えば、５分間から１０分間）に、当該操作ヒント表示端末１０を識別する識別情報を、ユーザの操作履歴を示す操作履歴情報に対応付けて送信する。
【００２４】
ここで、本実施形態において、「操作履歴情報」は、操作ヒント表示端末１０において、ユーザの操作を受け付ける表示領域に関する画面情報や入力情報である。また、「識別情報」は、本システムを利用するためのソフトウェアのＩＤ、電話番号、操作ヒント表示端末のコンピュータに割り当てられたＩＤ等、操作ヒント表示端末を識別可能な任意の情報である。
【００２５】
コールセンターでは、例えば、ユーザから電話やメール等の任意の通信手段により、ユーザが操作する操作ヒント表示端末１０において発生したトラブルを通知するトラブルコールを受け付ける。そして、コールセンターは、任意の通信手段により、当該トラブルを解消する手順を、ユーザに通知する。そして、コールセンターは、このトラブルを解消する手順に基づき、トラブルを回避し得えた操作を示すヒントデータを生成し、このヒントデータに、トラブルが発生した操作ヒント表示端末１０の識別情報を対応付けて、コールセンター端末３０からサーバ２０に送信する。
【００２６】
サーバ２０は、操作ヒント表示端末１０から、識別情報が対応付けられた操作履歴情報を受信する。また、サーバ２０は、コールセンター端末３０から、識別情報が対応付けられたヒントデータを受信する。
【００２７】
そして、サーバ２０は、コールセンター端末３０から送信されたヒントデータに対応付けられた識別情報で識別される操作ヒント表示端末１０から受信した、直近の操作履歴情報に基づきトラブルデータを生成し、このトラブルデータに、コールセンター端末３０から送信されたヒントデータを対応付けたヒント情報テーブルを記憶する。このように生成された「トラブルデータ」は、トラブルの契機となり得る表示領域におけるユーザの操作を示すデータである。
【００２８】
サーバ２０は、記憶したヒント情報テーブルを操作ヒント表示端末１０に送信する。操作ヒント表示端末１０は、サーバ２０から送信されたヒント情報テーブルを記憶する。また、操作ヒント表示端末１０は、既にヒント情報テーブルを記憶していた場合には、記憶したヒント情報テーブルを、新たに受信したヒント情報テーブルに更新する。
【００２９】
次に、操作ヒント表示端末１０における、ヒント情報テーブルに基づくヒントデータの表示について説明する。
操作ヒント表示端末１０は、表示領域（例えば、コントロールパネルや、ネットワーク設定等のウィンド）においてユーザの操作を受け付けた場合に、当該操作がヒント情報テーブルのトラブルデータに示された操作か否かを判断し、表示領域におけるユーザの操作がトラブルデータに示された操作であると判断した場合、ヒント情報テーブルにおいて当該トラブルデータに対応付けられたヒントデータを、表示手段（例えば、ディスプレイやタッチパネル）に、当該表示領域とともに表示する制御を行う。
【００３０】
［操作ヒント表示システムのシステム構成］
図２は、操作ヒント表示システム１の全体構成図である。操作ヒント表示システム１において、操作ヒント表示端末１０、サーバ２０及びコールセンター端末３０は、互いに公衆回線網５を介してそれぞれ通信可能に接続されている。
【００３１】
操作ヒント表示端末１０は、通信部を備えた一般的な情報端末であってよく、後述する機能を備える情報機器である。操作ヒント表示端末１０は、例えば、携帯電話、スマートフォン、ネットブック端末、スレート端末、電子書籍端末、電子辞書端末、携帯型音楽プレーヤ、携帯型コンテンツ再生・録画プレーヤといった携帯型端末であってもよいし、パーソナルコンピュータといった据え置き型の端末であってもよい。サーバ２０は、後述の機能を備えた一般的なサーバであってよい。
【００３２】
［各機能の説明］
図３は、操作ヒント表示端末１０及びサーバ２０の機能ブロックと各機能の関係を示す図である。
【００３３】
操作ヒント表示端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、記憶部１２として、ハードディスクや半導体メモリによる、データのストレージ部を備え、通信部１３として、例えば、ＩＥＥＥ８０２．１１に準拠したＷｉＦｉ（Ｗｉｒｅｌｅｓｓ  Ｆｉｄｅｌｉｔｙ対応デバイス又は、第３世代、第４世代移動通信システム等のＩＭＴ−２０００規格に準拠した無線デバイス等を備え、入出力部１４として、タッチパネルやディスプレイ等による表示手段や、タッチパネルやキーボードマウス等による入力手段を備える。記憶部１２は、操作ヒント表示プログラム１００やヒント情報データＤＢ１６や、その他、操作ヒント表示端末１０の制御に必要なデータを記憶する。
【００３４】
操作ヒント表示端末１０において、制御部１１が操作ヒント表示プログラム１００を読み込むことで、記憶部１２及び通信部１３と協働して、操作履歴記憶送信モジュール１５及びヒント情報更新モジュール１６を実現する。また、操作ヒント表示端末１０において、制御部１１が操作ヒント表示プログラム１００を読み込むことで、記憶部１２及び入出力部１４と協働して、トラブル契機判断モジュール１７及び表示制御モジュール１８を実現する。
【００３５】
サーバ２０は、操作ヒント表示端末１０と同様に、制御部２１として、ＣＰＵ，ＲＡＭ，ＲＯＭ等を備え、記憶部２２として、データのストレージ部を備え、通信部２３として、例えば、ＩＥＥＥ８０２．１１に準拠したＷｉＦｉ対応デバイスを備える（有線であってもよい）。記憶部２２は、ヒント情報テーブル生成プログラム２００やトラブルデータＤＢ２７や、その他、サーバ２０の制御に必要なデータを記憶する。
【００３６】
サーバ２０において、制御部１１がヒント情報テーブル生成プログラム２００を読み込むことで、記憶部２２及び通信部２３と協働して、操作履歴受信モジュール２４、ヒントデータ受信モジュール２５及びヒント情報送信モジュール２８を実現する。また、サーバ２０において、制御部２１がヒント情報テーブル生成プログラム２００を読み込むことで、記憶部２２と協働して、トラブルデータ生成モジュール２６を実現する。
【００３７】
コールセンター端末３０は、図示は省略するが、操作ヒント表示端末１０と同様に、制御部、記憶部、通信部及び入出力部を備え、所定のプログラムを読み込むことで、ヒントデータをサーバ２０に送信する。
【００３８】
［ヒント情報テーブル生成処理］
図４は、操作ヒント表示端末１０、サーバ２０及びコールセンター端末３０が実行するヒント情報テーブル生成処理のフローチャートである。上述した各装置のモジュールが行う処理について、本処理にて併せて説明する。
【００３９】
はじめに、操作ヒント表示端末１０の操作履歴記憶送信モジュール１５は、入出力部１４に表示された表示領域におけるユーザの操作を受け付け、この表示領域を示す画面情報と操作による入力情報とを操作履歴情報として、随時記憶する（ステップＳ１１）。そして、操作ヒント表示端末１０の操作履歴記憶送信モジュール１５は、定期的（例えば、５分間から１０分間）に、操作ヒント表示端末１０を識別する識別情報を、記憶した操作履歴情報に対応付けてサーバ２０に送信する（ステップＳ１２）。
【００４０】
サーバ２０の操作履歴受信モジュール２４は、操作ヒント表示端末１０から、識別情報が対応付けられた操作履歴情報を受信する（ステップＳ１３）。
【００４１】
コールセンター端末３０は、ユーザが操作する操作ヒント表示端末１０において発生したトラブルを解消する手順に基づき生成した、トラブルを回避し得えた操作を示すヒントデータに、トラブルが発生した操作ヒント表示端末１０の識別情報を対応付けて、サーバ２０に送信する（ステップＳ１４）。
【００４２】
サーバ２０のヒントデータ受信モジュール２５は、コールセンター端末３０から、識別情報が対応付けられたヒントデータを受信する（ステップＳ１５）。
【００４３】
サーバ２０のトラブルデータ生成モジュール２６は、コールセンター端末３０から送信されたヒントデータに対応付けられた識別情報で識別される操作ヒント表示端末１０から受信した、直近の操作履歴情報に基づきトラブルデータを生成する（ステップＳ１６）。なお、本実施形態において、「直近」とは、操作ヒント表示端末１０においてトラブルが発生した時に対する直近である。例えば、コールセンターは、トラブルが発生した日時を特定し、コールセンター端末３０からヒントデータにこの日時を対応付けてサーバ２０に送信する。そして、サーバ２０は、このヒントデータに対応付けられた日時に直近の操作履歴情報に基づきトラブルデータを生成する。
【００４４】
そして、サーバ２０のトラブルデータ生成モジュール２６は、生成したトラブルデータに、コールセンター端末３０から送信されたヒントデータを対応付けたヒント情報テーブルをトラブルデータＤＢ２７に記憶する（ステップＳ１７）。
【００４５】
図５は、サーバ２０のトラブルデータＤＢ２７に記憶されたヒント情報テーブルを説明する図である。ヒント情報テーブルには、操作ヒント表示端末１０において、トラブルの契機となり得る表示領域におけるユーザの操作を示すトラブルデータに、当該トラブルを回避し得る操作を示すヒントデータを対応付けられている。図５は、トラブルデータ及びヒントデータの内容の一例を示す図である。
【００４６】
図５に示す例では、例えば、コールセンターは、ユーザからネットワークに繋がらないというトラブルコールを受け付け、その原因が、操作ヒント表示端末１０において、ネットワークセットアップウィザードを実行したため、ネットワークブリッジが作成されたことにあった場合、このトラブルを回避するためのヒントデータとして、ネットワークセットアップウィザードにおいて、ＯＫをクリックした場合、既存のネットワークに接続できなくなる場合があることを示すヒントデータを、コールセンター端末３０からサーバ２０に送信する。
【００４７】
サーバ２０は、このようなヒントデータを受信した場合、操作ヒント表示端末１０から受信した直近の操作履歴情報に含まれる、ネットワークセットアップウィザードを表示したことを示す操作履歴情報をトラブルデータとする。そして、サーバ２０は、図５の１行目に示す例のように、このトラブルデータ（「ネットワークセットアップウィザードを表示」）と、コールセンター端末３０から送信されたヒントデータ（「ネットワークセットアップウィザードにおいて、ＯＫをクリックした場合、既存のネットワークに接続できなくなる場合があります。」）と、を対応付けたヒント情報テーブルをトラブルデータＤＢ２７に記憶する。
【００４８】
図４に戻って、サーバ２０のヒント情報送信モジュール２８は、トラブルデータＤＢ２７に記憶されたヒント情報テーブルを操作ヒント表示端末１０に送信する（ステップＳ１８）。
【００４９】
操作ヒント表示端末１０のヒント情報更新モジュール１６は、サーバ２０から送信されたヒント情報テーブルを受信する（ステップＳ１９）。そして、操作ヒント表示端末１０のヒント情報更新モジュール１６は、受信したヒント情報テーブルをヒント情報データＤＢ１６に記憶し、既にヒント情報テーブルを記憶していた場合には、記憶したヒント情報テーブルを、新たに受信したヒント情報テーブルに更新する（ステップＳ２０）。
【００５０】
［操作ヒント表示処理］
図６は、操作ヒント表示端末１０が実行する操作ヒント表示処理のフローチャートである。上述した各装置のモジュールが行う処理について、本処理にて併せて説明する。
【００５１】
はじめに、表示制御モジュール１８は、入出力部１４におけるユーザの操作を受け付ける（ステップＳ３１）。例えば、表示制御モジュール１８は、受け付けた操作が、所定の表示領域（例えば、ネットワークセットアップウィザード）の表示であれば、入出力部１４にこの所定の表示領域を表示する制御を行う。
【００５２】
トラブル契機判断モジュール１７は、ヒント情報データＤＢ１６に記憶されたヒント情報テーブルを参照して、ステップＳ３１で受け付けた操作が、ヒント情報テーブルのトラブルデータに示された操作か否かを判断する（ステップＳ３２）。操作ヒント表示端末１０は、トラブルデータに示された操作であると判断した場合には、ステップＳ３３に処理を移し、トラブルデータに示された操作でないと判断した場合には、本処理を終了する。
【００５３】
表示制御モジュール１８は、ヒント情報テーブルにおいて、ステップＳ３２で判断されたトラブルデータに対応付けられたヒントデータを、入出力部１４に、上記所定の表示領域とともに表示する制御を行う。
【００５４】
図７は、操作ヒント表示端末１０の入出力部１４に表示される画面の一例であって、所定の表示領域１４１とともにヒントデータ１４２が表示された画面イメージである。図７に示す例では、操作ヒント表示端末１０におけるユーザの操作により、ネットワークセットアップウィザード（表示領域１４１）が入出力部１４に表示された。そして、トラブル契機判断モジュール１７により、この操作が、ヒント情報テーブル（図５参照）のトラブルデータに示された操作であると判断され、表示制御モジュール１８により、ヒント情報テーブルにおいて、このトラブルデータに対応付けられたヒントデータ１４２が表示領域１４１とともに表示されている。このようなヒントデータ１４２を、表示領域１４１を表示させる操作が行われたタイミングで表示することで、この後、ユーザがＯＫボタンを操作してしまい、既存のネットワークに接続できなくなるというトラブルを事前に回避できる。
【００５５】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５６】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５７】
１  操作ヒント表示システム、５  公衆回線網、１０  操作ヒント表示端末、２０  サーバ、３０  コールセンター端末
【図１】
2016040646.tif 000003
【図２】
2016040646.tif 000004
【図３】
2016040646.tif 000005
【図４】
2016040646.tif 000006
【図５】
2016040646.tif 000007
【図６】
2016040646.tif 000008
【図７】
2016040646.tif 000009